(57)【要約】      （修正有）【課題】身体の疲れ壷を人の手の感触と同様の感触で押圧可能とした指圧具を提供する。【解決手段】携帯用には曲面コルク１と、コルクに設けられたネジと、ネジを挿入可能な穴を有した軸部５からなる１本の壷当て部１５から構成するあるいは軸部両端に曲面コルクを取り付け、または軸部に香水香料等の挿入を可能とした構成とする。また施術用には板状取り付け部１１に固定あるいは面テープにより複数の壷当て部を取り付ける。一部の壷当て部の高さを高くする、あるいは軸部を傾斜することで最適な指圧感を得る。さらに、軸部を縦長の円錐台形状から高さが短く底部を大きく安定的にした形状に変化させ、コルクと軸部を繋ぐ、コルク下部に設けられたネジにより、コルクの高さ調整自在に配置している。ネジ部の長さと挿入長さにより、クッション感覚を調整可能に構成する。【選択図】図２
0003151052.tif 000002
【実用新案登録請求の範囲】
【請求項１】
クッション性を有する曲面コルクと、該曲面コルク下部に取り付けられたネジと、ネジを挿入可能な穴を上面中央から内部下方向に設けた円錐台形の軸部から構成されることを特徴とする携帯用の疲れ軽減具。
【請求項２】
クッション性を有する曲面コルクと、該曲面コルク下部に取り付けられた樹脂製のネジと、該ネジ全長に対応する穴を上面中央から内部下方向に設けた円錐台形の軸部から構成される壷当て部の複数を板状取り付け部の一方面に固定して設け、該板状取り付け部に一対の握り手部分を切り欠いて設け、中央部の壷当て部の高さを他の壷当て部に比べて５％〜１５％高くしたことを特徴とする疲れ軽減具。
【請求項３】
クッション性を有する曲面コルクと、該曲面コルクに取り付けられた樹脂製のネジと、該ネジの全長あるいは一部に対応する穴を設けた円錐台形の軸部から構成される複数の壷当て部と、取り付け用のベルトを有した長方形状の板状取り付け部とからなり、軸部底部には面テープが貼り付けられ、板状取り付け部の表面一面にも面テープを貼付し、該壷当て部の複数を板状取り付け部の一方の面に面テープで固定して設け、使用時に上方になる壷当て部の高さを下方となる壷当て部の高さより低くし、さらに全ての壷当て部の傾きを高さの低い壷当て部側に3度から8度程度傾けたことを特徴とする疲れ軽減具。
【請求項４】
該軸部下面にも曲面コルクを取り付けたことを特徴とする請求項１記載の疲れ軽減具。
【考案の詳細な説明】
【技術分野】
【０００１】
本考案は、身体の疲れ壷を押圧し疲れを軽減する疲れ軽減具に関する。
【背景技術】
【０００２】
従来は、基盤の表面に、点圧をかけるための頂部半球状の平行する突起物を左右に一定の間隔を存して設ける構成が開示されている（特許文献１）。
【先行技術文献】
【特許文献】
【０００３】
【特許文献１】特開２００６−３３４３７３号公報
【考案の概要】
【考案が解決しようとする課題】
【０００４】
従来技術によれば、突起物にはクッション性が無いことに加え、高さを調整することができなかった。被施術者は、一般に人間の指で壷を押される指圧感覚を求めているものであるが、その要求に応じて力を入れると、壷を押す施術者の疲労度が大きく苦痛であり、さらには、被施術者本人も筋肉を傷める恐れがあった。
【０００５】
また、金属や木製の器具や装置があるが、いずれも人間の指で指圧される感覚とはかけ離れたものであり、装置としても大きなものであった。さらに旅行時等の移動時に、疲れ壷を指圧したい時、小型携帯器具も必要であった。
【０００６】
加えて、自分で手の届かない箇所を押すことは億劫であり、他人の手を借りず自分自身で使用できる器具が必要であった。
【０００７】
さらに、従来においては、自動車などの乗り物用で座席に取り付け、後頭下部、首部の同時壷押し機具は皆無であった。
【課題を解決するための手段】
【０００８】
本考案の旅行用超小型携帯用の疲れ軽減具は、クッション性を有する曲面コルクと、該曲面コルクに取り付けられたネジと、ネジを挿入可能な穴を上面中央から内部下方向に設けた円錐台形の軸部から構成されることを要旨とする。
さらに軸部下面にも曲面コルクを取付ても良い。この軸部には香水・香料を入れられるようにして、施術中に香りでも癒し効果が発揮できるようにしても良い。
【０００９】
本考案の疲れ軽減具は、クッション性を有する曲面コルクと、該曲面コルクに取り付けられた樹脂製のネジと、該ネジ全長に対応する穴を上面中央から内部下方向に設けた円錐台形の軸部から構成される壷当て部の複数を平板の板状取り付け部の一方面に固定して設け、該取り付け部には、握り手のための一対の切り欠き部を形成し、中央部の壷当て部の高さを他の壷当て部に比べて５％〜１５％高くしたことを要旨とする。
【００１０】
本考案の疲れ軽減具は、クッション性を有する曲面コルクと、該曲面コルクに取り付けられた樹脂製のネジボルトと、該ネジの全長あるいは一部に対応する穴を設けた円錐台形の軸部から構成される複数の壷当て部と、取り付け用のベルトを有した長方形状の板状取り付け部とからなり、軸部底部には面テープが貼り付けられ、板状取り付け部の表面一面にも面テープを貼付し、該壷当て部の複数を板状取り付け部の一方の面に面テープで固定して設け、使用時に上方になる壷当て部の高さを下方となる壷当て部の高さより低くし、さらに全ての壷当て部の傾きを低い壷当て部側に3度から8度程度傾けたことを要旨とする。
【００１１】
ネジボルトを挿入する穴にネジ溝を設けると、高さ調整可能となる。また、前記ネジにより指圧捩れクッションが得られ、両面テープが接合されることによりさらに、面テープによるクッション効果も得られるようになる。そして、移動可能な壷当て部の位置を調整された後、疲れ軽減具本体を車の背面シート、ヘッドレストに取り付けて使用する。
【００１２】
疲れ壷を自分自身で押す時、手の届き難い箇所は、柱あるいは建っている物体にベルトにて取り付け、体を押し付けて疲れ壷を押すようにして使用する。
【考案の効果】
【００１３】
本考案によれば、身体疲れ壷を因り深く押しても、壷当て部がコルク素材であり、しかも該コルクを支える軸部が３５ｍｍ〜７０ｍｍ前後のクッションラバーで構成され、板状取り付け部に固定されているため、板状取り付け部の裏面を押圧した場合に、先端の壷当て部が身体の壷をやんわりと押し、コルクそのもののクッション性とさらには軸部を構成するクッションラバーとネジ部の長さにより撓り感を与えることが可能で、人の手による指圧感覚を与えることが可能となる。すなわち、ネジボルト部は人の指の骨の働きをすると推測され、ネジ部が長い場合は、軸部のクッションラバーの撓りが少なく、壷当て部はきつく押圧されるが、短い場合は、良く撓り、軟らかい感覚を被施術者に与えることが可能となる。従って、希望の撓りにあわせたネジ部の長さとすることで壷への押圧感を調整することが可能となる。
【００１４】
本考案によれば、指圧を行ったことが無い人が使用しても、先端の壷当て部から適度の撓りと押圧感を被施術者の壷部分に伝えることができ、施術者が長時間押圧する事が苦に成る事もなく施術者は疲れが軽減できる。
【００１５】
本考案によれば、板状体に複数壷当て部を設置した場合には、中央部の壷当て部の高さを高くし、先端のコルク部も径を５ｍｍほど大きくしているため、特に凝りの激しい壷に中心のコルク部を当てて、板状体全体を押圧すると、凝っている部分の回りも４箇所均等に押すことになるが、中心からの距離もあり、しかも凝っている部分より軸部の長さも短く、コルクもやや小さくなっているため、加えられた力が凝っている部分よりやや軟らかく先端のコルク部分から身体に伝わるようになる。体のある箇所が凝っている場合は、凝っている部分以外にも回りの筋肉をほぐす必要があるが、凝っている部分と同じ力で回りを指圧すると、被施術者には痛く、苦痛に感じる場合がある。これは、凝っている部分と、周りの部分を異なる強さで押圧すると良いということになる。実際の指圧では、施術者が何回にも分けてこの強く押す最も凝っている部分と回りのややゆるく押す部分の指圧を繰り返し行う方法となって、時間と施術者の疲れが酷くなるものであるが、本考案においては、１度に凝り部と回りを最適の強さで押圧することができるので、好ましい。施術者の疲れは実に５分の１以下となるのである。
【００１６】
本考案では、車両用の疲れ軽減具を使用して車両座席の背面シート、ヘッドレストに取り付け、高さの低い方の壷当て部を後頭下部に当て、高い壷当て部を首筋に当て、体重を下方向に向けてかけるようにすると、首筋が伸ばされ、上方に傾けて設けられている軸部が体重を下方から支える働きをし、高さの違いや傾きにより、首部筋肉が伸び緊張感が緩み、眼、頭痛、肩こりの疲れが軽減され、同時に体の自然な摺り落ちも防止することができ、運転の疲れも即座に軽減され、安全運転ができる。
【００１７】
本考案の疲れ軽減具は携帯用から５個のものまでであり、一個の携帯用のものは軽量で携帯しやすく、場所を問わずに使用可能となる。また、携帯用のものは、一方端に曲面コルクを設けた場合（図１（ａ））以外に、両端に曲面コルクを設けた場合（図１（ｃ））や、軸部に香水や香料を入れられるようにした場合があり、前者の場合は携帯用を使用して施術する場合においても、手が痛くない上、手の指圧も兼ねることができる。また、後者の場合には、施術中に癒しの香りが周囲に発散し、癒し効果が期待できる。また３個から５個のものは指圧を施術する人が板状取り付け部を背後から押すことで、少ない力で一度に多くの壷を押すことができ、産業上の多くの効果が期待できる。
【図面の簡単な説明】
【００１８】
【図１】（ａ）本考案の実施例１についての疲れ軽減具の壷当て部の分解図である。（ｂ）本考案の実施例３についての疲れ軽減具を示す分解図である。（ｃ）本考案の実施例１についての変形例を示す分解図である。
【図２】本考案の実施例２の疲れ軽減具を示す斜視図である。
【図３】同上疲れ軽減具の側面図である。
【図４】本考案の実施例３の疲れ軽減具を示す正面図・背面図である。
【図５】同上平面図・右側面図・左側面図・底面図である。
【考案を実施するための形態】
【００１９】
本考案の曲面コルク部は、コルクによって曲面に形成されていれば良く、球状、楕円形状等が考えられる。コルクの底部は下方に接続されるネジボルト部があるが、このネジボルトの取り付けのために、コルクの曲面を一部切落としても良い。このネジボルト部の素材は樹脂が好ましい。このネジボルト部が挿入される穴部には、ネジ溝を切っても切らなくても良い。穴を設けた軸部は、クッションラバーのようなゴムが好ましいが、高さ調整を行う場合には、ネジ穴を設けた方が固定できるため好ましく、このときの軸部の素材は硬質樹脂のようなものが好ましい。また安定感を高めるため、図５のような底部が広がった軸部形状も可能であり、ネジ部は一部が挿入されて一部は外部に露出していても良い。
【００２０】
なお、板状取り付け部上に面テープを粘着し、その先端にコルクを有する壷当て部の底面にも面テープを粘着し、これら面テープを接合することにより壷当て部の取り付け位置を調整可能となる。また位置調整のみでなく、面テープのオスメスによるクッション効果も得ることができる。
それぞれの疲れ軽減具にはカバーを取り付けても良いし、携帯用のバッグで運搬可能としても良いことはもちろんである。
なお、本考案で押圧する壷としては、例えば、頭部の玉枕、上天柱、部首、天柱、風池、肩部の肩井、風門などがある。
【実施例】
【００２１】
以下、図面を参照して本考案の実施例を説明する。
図１（ａ）は、本考案の旅行用あるいは携帯用の疲れ軽減具の分解図である。１は壷を押す曲面コルクであり、３は前記曲面コルクに取り付けられたネジあるいはボルト，５は円錐台形状の軸部であり、クッションゴムで形成され、７０ｍｍほどの長さとしている。７は穴である。この軸部はゴムでできており、穴にはネジ溝を切っていない。また、ネジ挿入の穴７は、軸部５の下方底部まで達していても居なくても良いが、ネジの全長が挿入可能な長さの穴を有している。
【００２２】
この携帯用疲れ軽減具は、軸部５を自分で持って曲面コルク１を首部や後頭部、こめかみ等に押圧して簡単に凝りを解すために用いる。軸部５が長くなっているので、この部分を手でしっかり握ることができ、適度な強さで押圧できる。また、1本であるので、簡単に鞄やバッグに忍ばせることができ、旅行に携帯でき好ましい。当然のことながら、他の人がこの軸部を握って被施術者の壷を押圧しても良いことはもちろんである。なお、図１（ｃ）に示すように下面にも曲面コルクを設けても良い。やや径の大きなコルクを設けると、大小のコルクを懲りの具合に応じて使い分けることができる上、一方の曲面コルクを使用して手でつぼを押す場合にも他方の曲面コルクが手を逆に指圧することになって手も柔らかいコルクで力を加えても痛くなく、しかも手の方も逆に指圧効果を受けることができて好ましい。
なお、このネジボルトが長いと軸部の下方までこのネジが挿入され、壷を押圧した場合にクッションとしての捩れが生じにくくなるため、クッション性を高めたい場合には、このネジボルト部の長さを短くする。ネジの全長はちょうど人間の指の骨の役割をするものと思われる。
【００２３】
次に図１（ｂ）は、本考案の疲れ軽減具の壷当て部（曲面コルク１を軸部５に取り付けた全体を指す）についての分解図である。１から５は図１（ａ）と同様であり、ネジの挿入穴７’にはネジ溝を切っていない。９、１０は面テープ、１１は板状取り付け部である。軸部は下端には面テープ９が粘着されており、１１の表面全面に同様に面テープ１０が粘着されており、壷当て部を板状取り付け部１１に取り付けるにあたって、位置も自由に選択できる上、両面テープ９及び１０でクッション性が確保される。
【００２４】
図２は、本考案の疲れ軽減具の応用例を示す斜視図であり、板状取り付け部１１の上面に壷当て部が５つ配置されている。
【００２５】
このように、この実施例では、壷当て部を４個周囲に配置する一方、これら４個の壷当て部の中央部に壷当て部１５を配置することにより、板状取り付け部を手で押圧すると、４個の壷当て部で位置決めした状態で壷当て部１５が押圧され、この壷当て部１５により壷が十分に押さえられる。
また、板状取り付け部１１は、人の手で握り易いように、切り欠き部１２を２箇所対向して設けている。なおこの切り欠き部は人の親指以外の４本で握った形状に合致するように形成しても良い（図示は省略）。
【００２６】
図３は、図２の応用例の側面図であり、壷当て部１５の高さが残る４個の壷当て部の高さよりも高くなっている。この高さは５ｍｍから１０ｍｍ（軸長さに対して５％から１５％程度）高くするのが好ましい。それ以上高さに差がでると、押圧した場合に中心部のみが強く当たりすぎて不快な感覚を被施術者に与えることとなる。
【００２７】
図４は、本考案を自動車のシートに配置するための構成を示す正面図、図５はその背面図である。この図によれば、自動車のシート（図示せず）に用いるために、板状取り付け部４１にはバックル４３、４５が設けられている。
【００２８】
この板状取り付け部４１の上部には長さ調整可能なベルト４７が取り付けられ、このベルト４７はシート背面に囲繞され面テープ等でシート背面に固定されており、バックル４３、４５の一方はシートを囲繞してベルト４７の先端の穴部４７aを通過してシート背面で結合されるように構成されている。また、このバックル４３、４５の近傍にはベルト長さの調整具が設けられており、ベルト４７と同様に長さが調節できるようになっている。板状取り付け部４１には４個の軸部４９が配置されている。
【００２９】
図５は、図４の詳細図であり、その平面図に示されるように、壷当て部４９先端には小径のコルク５５と大径のコルク５７とが配置され、これらコルク底面から延びるネジ５３がネジ溝を切ったネジ穴に螺合され、壷当て部を構成している。そして、これら軸部４９は面テープ等で板状取り付け部４１に固定される。
【００３０】
左右の側面図、及び底面図に示すように、板状取り付け部４１には上方向に傾斜して軸部４９が配置され(全ての壷当て部の傾きを上方、すなわち高さの低い壷当て部方向に3度から8度程度傾けることが好ましい)、図面下側の軸部４９には大径のコルク５７が取り付けられており、図面上側の軸部４９には小径のコルク５５が取り付けられている。
【００３１】
このような車両用の疲れ軽減具を使用して車両座席の背面シート、ヘッドレストに取り付け、高さの低い方の壷当て部を後頭下部に当て、高い壷当て部を首筋に当て、下方向に体重をかけるように身体を当てると、首筋が伸ばされ、上方に傾けて設けられている軸部が体重を下方から支える働きをし、高さの違いや傾きにより、首部筋肉が伸び緊張感が緩み、眼、頭痛、肩こりの疲れが軽減され、同時に体の自然な摺り落ちも防止することができ、運転の疲れも即座に軽減され、安全運転ができる。
【００３２】
しかもこの壷当て部の固定は面テープを用いているため、自由に位置を変更することができ、高さもネジにより変更可能であるため、使用者の体型に合わせて調整可能となる。この移動時にあっても、壷当て部の傾きの方向については、重力に抵抗するように上方を向くように使用するのが好ましいが、使用者の使用場所や体調や好みによって、逆あるいは左右の傾き方向に変えて使用してもかまわないことは勿論である。
【産業上の利用可能性】
【００３３】
本考案は人の手による指圧感覚が得られるものであるため、産業上の利用可能性がある。また、軽量な素材と形状を工夫しているため、携帯しやすく、使用上も疲れない。また自動車に配置されれば、長距離運転にも疲労が少なく安全運転ができるなど、日々の生活面に多大な効果が得られ、産業上の利用可能性を有する。
【符号の説明】
【００３４】
１        曲面コルク
３        ネジ
５        軸部
９  １０  面テープ
１１      板状取り付け部
１５      壷当て部
４１      板状取り付け部
４３      バックル
４５      バックル
４７      ベルト
４９      軸部
５５      小径のコルク
５７      大径のコルク
【図１】
0003151052.tif 000003
【図２】
0003151052.tif 000004
【図３】
0003151052.tif 000005
【図４】
0003151052.tif 000006
【図５】
0003151052.tif 000007